(57)【要約】      （修正有）【課題】環部材とノズル本体とに回り止め係止部を夫々設けることで、この回り止め係止部により環部材の回動を阻止でき、且つ、散水方向の変更も簡単に行える消雪ノズルを提供する。【解決手段】ノズル本体３に、嵌合凹部７に嵌入される環部材６の回り止め係止部６ａを挟むように対向状態に設けられる一対の立ち上がり部とした回り止め係止部３ａを周方向に複数設け、この一対の立ち上がり部の対向幅を、前記環部材に一若しくは複数設けた回り止め係止部の幅と略同じ若しくはやや幅広に設定し、この環部材に設けた少なくとも一の回り止め係止部を前記一対の立ち上がり部間に嵌入し得るように構成し、環部材を、前記嵌合凹部７に嵌入された状態でこの環部材に設けた回り止め係止部が前記立ち上がり部に突き当たり係止するまでの所定範囲で自在に回動せしめるか若しくはこの環部材に設けた回り止め係止部を異なる前記一対の立ち上がり部間に嵌入せしめる。【選択図】図１
2005199273.tif 000002
【特許請求の範囲】
【請求項１】
ノズル本体の先端開口部に、環部材を嵌入し得る嵌合凹部を設け、この環部材は、前記ノズル本体の通水路内壁に設けられた嵌入支承部により支承されて前記嵌合凹部と嵌合し、この環部材若しくはこの環部材と前記ノズル本体との間には前記通水路と連通して水の噴出方向及び噴出角度を規定する散水路が形成され、この環部材には、弁体が挿通される挿通孔を形成し、この挿通孔には前記弁体の頭部の係止部が係止する係止段部を設け、この弁体には前記ノズル本体の通水路に設けられた螺合部と螺合する螺子部を設け、弁体を挿通孔に挿通し、螺子部を螺合部と螺合することで前記ノズル本体に環部材が押さえ込み状態に止着されるように構成し、この環部材と前記ノズル本体とに回り止め係止部を夫々設け、前記環部材に設けた回り止め係止部が、前記ノズル本体に設けた回り止め係止部に突き当たり係止することで前記環部材の回動を阻止し得るように構成し、ノズル本体に、前記嵌合凹部に嵌入される前記環部材の回り止め係止部を挟むようにこの環部材の正回動側と逆回動側とに対向状態に設けられる一対の立ち上がり部を前記回り止め係止部とし、この一対の立ち上がり部を周方向に複数設け、この一対の立ち上がり部の対向幅を、前記環部材に一若しくは複数設けた回り止め係止部の幅と略同じ若しくはやや幅広に設定し、この環部材に設けた少なくとも一の回り止め係止部を前記一対の立ち上がり部間に嵌入し得るように構成し、環部材を、前記嵌合凹部に嵌入された状態でこの環部材に設けた回り止め係止部が前記立ち上がり部に突き当たり係止するまでの所定範囲で自在に回動せしめるか若しくはこの環部材に設けた回り止め係止部を異なる前記一対の立ち上がり部間に嵌入せしめることで、水の噴出方向を変更できるように構成したことを特徴とする消雪ノズル。
【請求項２】
ノズル本体の先端開口部に、環部材を嵌入し得る嵌合凹部を設け、この環部材は、前記ノズル本体の通水路内壁に設けられた嵌入支承部により支承されて前記嵌合凹部と嵌合し、この環部材若しくはこの環部材と前記ノズル本体との間には前記通水路と連通して水の噴出方向及び噴出角度を規定する散水路が形成され、この環部材には、弁体が挿通される挿通孔を形成し、この挿通孔には前記弁体の頭部の係止部が係止する係止段部を設け、この弁体には前記ノズル本体の通水路に設けられた螺合部と螺合する螺子部を設け、弁体を挿通孔に挿通し、螺子部を螺合部と螺合することで前記ノズル本体に環部材が押さえ込み状態に止着されるように構成し、この環部材と前記ノズル本体とに回り止め係止部を夫々設け、前記環部材に設けた回り止め係止部が、前記ノズル本体に設けた回り止め係止部に突き当たり係止することで前記環部材の回動を阻止し得るように構成し、環部材に、この環部材が嵌入されるノズル本体の回り止め係止部を挟むように環部材の正回動側と逆回動側とに対向状態に設けられる一対の立ち上がり部を前記回り止め係止部とし、この一対の立ち上がり部を周方向に複数設け、この一対の立ち上がり部の対向幅を、前記ノズル本体に一若しくは複数設けた回り止め係止部の幅と略同じ幅若しくはやや幅広に設定し、このノズル本体に設けた少なくとも一の回り止め係止部を前記一対の立ち上がり部間に嵌入し得るように構成し、環部材を、前記嵌合凹部に嵌入された状態で前記ノズル本体に設けた回り止め係止部が前記立ち上がり部に突き当たり係止するまでの所定範囲で自在に回動せしめるか若しくは前記ノズル本体に設けた回り止め係止部を異なる前記一対の立ち上がり部間に嵌入せしめることで、水の噴出方向を変更できるように構成したことを特徴とする消雪ノズル。
【発明の詳細な説明】
【技術分野】
【０００１】
本発明は、消雪ノズルに関するものである。
【背景技術】
【０００２】
地面に埋設して消雪を行う消雪ノズルとしては、例えば、ノズル本体の先端開口部に、環部材を嵌入し得る嵌合凹部を設け、この環部材にはノズル本体の通水路と連通して水の噴出方向及び噴出角度を規定する散水路を形成すると共に、弁体が挿通される挿通孔を形成し、この挿通孔には前記弁体の頭部の係止部が係止する係止段部を設け、この弁体には前記ノズル本体の通水路に設けられた螺合部と螺合する螺子部を設け、弁体を前記挿通孔に挿通し、前記螺子部を螺合部と螺合することで前記ノズル本体に環部材が押さえ込み状態に止着されるように構成し、弁体に設けた弁機構により散水量を調節して環部材の散水路より散水するものがある。
【０００３】
具体的には、前記通水路を前記環部材に穿設した構造や、この環部材と弁体との間若しくは環部材と嵌合凹部との間に前記通水路を設けた構造等、種々の構造がある。
【０００４】
一般的に、消雪ノズルは自動車が走行する道路に埋設されることが多く、この自動車が消雪ノズル上を走行することで前記環部材が回動したり、直接上面を走行しなくても前記自動車の走行によって伝わる振動により前記環部材ががたついて回動したりすることで、この環部材を押さえ込み止着する弁体を緩めることがあり、場合によってはこの環部材が外れてしまうおそれがある。
【０００５】
そこで、従来は、例えば特許第３１５６９１４号公報に開示されるように、ノズル本体の嵌合凹部と環部材とに、突起と窪み部とから成る位置決め部を設け、この位置決め部によって前記環部材を位置決めすることで前記自動車等の振動による環部材の回動を阻止していた。
【発明の開示】
【発明が解決しようとする課題】
【０００６】
ところで、消雪ノズルを使用する際、例えば前記散水路がノズル本体の上面に９０度間隔で形成され、四方に水を噴出させて消雪を行うように設定されているとすると、前記桟水路同志の間には水が届きにくく、雪が残ってしまう部分が生じるため（例えば、双方から４５度の位置等）、前記水の噴出方向を変更したい場合がある。
【０００７】
しかしながら、従来の消雪ノズルの場合、前記嵌合凹部に嵌入したままでは環部材を回動させることができないため、水の噴出方向が異なる環部材等に一々交換しなければ、前記水の噴出方向を変更することができず、そのため、噴出方向が夫々異なる数種類の環部材を用意する必要があり、厄介である。
【０００８】
本発明は、上述のような現状に鑑み、環部材とノズル本体とに回り止め係止部を夫々設けることで、この回り止め係止部により環部材の回動を阻止でき、且つ、散水方向の変更も簡単に行える極めて実用性に秀れた消雪ノズルを提供するものである。
【課題を解決するための手段】
【０００９】
添付図面を参照して本発明の要旨を説明する。
【００１０】
ノズル本体３の先端開口部１に、環部材６を嵌入し得る嵌合凹部７を設け、この環部材６は、前記ノズル本体３の通水路４内壁に設けられた嵌入支承部10により支承されて前記嵌合凹部７と嵌合し、この環部材６若しくはこの環部材６と前記ノズル本体３との間には前記通水路４と連通して水の噴出方向及び噴出角度を規定する散水路２が形成され、この環部材６には、弁体９が挿通される挿通孔５を形成し、この挿通孔５には前記弁体９の頭部の係止部９ａが係止する係止段部５ａを設け、この弁体９には前記ノズル本体３の通水路４に設けられた螺合部８と螺合する螺子部９ｂを設け、弁体９を挿通孔５に挿通し、螺子部９ｂを螺合部８と螺合することで前記ノズル本体３に環部材６が押さえ込み状態に止着されるように構成し、この環部材６と前記ノズル本体３とに回り止め係止部６ａ，３ａを夫々設け、前記環部材６に設けた回り止め係止部６ａが、前記ノズル本体３に設けた回り止め係止部３ａに突き当たり係止することで前記環部材６の回動を阻止し得るように構成し、ノズル本体３に、前記嵌合凹部７に嵌入される前記環部材６の回り止め係止部６ａを挟むようにこの環部材６の正回動側と逆回動側とに対向状態に設けられる一対の立ち上がり部を前記回り止め係止部３ａとし、この一対の立ち上がり部を周方向に複数設け、この一対の立ち上がり部の対向幅を、前記環部材６に一若しくは複数設けた回り止め係止部６ａの幅と略同じ若しくはやや幅広に設定し、この環部材６に設けた少なくとも一の回り止め係止部６ａを前記一対の立ち上がり部間に嵌入し得るように構成し、環部材６を、前記嵌合凹部７に嵌入された状態でこの環部材６に設けた回り止め係止部６ａが前記立ち上がり部に突き当たり係止するまでの所定範囲で自在に回動せしめるか若しくはこの環部材６に設けた回り止め係止部６ａを異なる前記一対の立ち上がり部間に嵌入せしめることで、水の噴出方向を変更できるように構成したことを特徴とする消雪ノズルに係るものである。
【００１１】
また、ノズル本体３の先端開口部１に、環部材６を嵌入し得る嵌合凹部７を設け、この環部材６は、前記ノズル本体３の通水路４内壁に設けられた嵌入支承部10により支承されて前記嵌合凹部７と嵌合し、この環部材６若しくはこの環部材６と前記ノズル本体３との間には前記通水路４と連通して水の噴出方向及び噴出角度を規定する散水路２が形成され、この環部材６には、弁体９が挿通される挿通孔５を形成し、この挿通孔５には前記弁体９の頭部の係止部９ａが係止する係止段部５ａを設け、この弁体９には前記ノズル本体３の通水路４に設けられた螺合部８と螺合する螺子部９ｂを設け、弁体９を挿通孔５に挿通し、螺子部９ｂを螺合部８と螺合することで前記ノズル本体３に環部材６が押さえ込み状態に止着されるように構成し、この環部材６と前記ノズル本体３とに回り止め係止部６ａ，３ａを夫々設け、前記環部材６に設けた回り止め係止部６ａが、前記ノズル本体３に設けた回り止め係止部３ａに突き当たり係止することで前記環部材６の回動を阻止し得るように構成し、環部材６に、この環部材６が嵌入されるノズル本体３の回り止め係止部３ａを挟むように環部材６の正回動側と逆回動側とに対向状態に設けられる一対の立ち上がり部を前記回り止め係止部６ａとし、この一対の立ち上がり部を周方向に複数設け、この一対の立ち上がり部の対向幅を、前記ノズル本体３に一若しくは複数設けた回り止め係止部３ａの幅と略同じ幅若しくはやや幅広に設定し、このノズル本体３に設けた少なくとも一の回り止め係止部３ａを前記一対の立ち上がり部間に嵌入し得るように構成し、環部材６を、前記嵌合凹部７に嵌入された状態で前記ノズル本体３に設けた回り止め係止部３ａが前記立ち上がり部に突き当たり係止するまでの所定範囲で自在に回動せしめるか若しくは前記ノズル本体３に設けた回り止め係止部３ａを異なる前記一対の立ち上がり部間に嵌入せしめることで、水の噴出方向を変更できるように構成したことを特徴とする消雪ノズルに係るものである。
【発明の効果】
【００１２】
本発明は、上述のように構成したから、環部材の回動を阻止でき、且つ、散水方向の変更も簡単に行える極めて実用性に秀れた消雪ノズルとなる。
【発明を実施するための最良の形態】
【００１３】
好適と考える本発明の実施形態（発明をどのように実施するか）を、図面に基づいて本発明の作用を示して簡単に説明する。
【００１４】
路面にノズル本体３を埋設して、このノズル本体３の散水路２から噴出して路面の消雪を行う。
【００１５】
この際、例えばこのノズル本体３の上面を自動車が走行したり、近傍を走行する自動車から伝わる振動によって環部材６が回動したとしても、前記環部材６に設けた回り止め係止部６ａがノズル本体３に設けた回り止め係止部３ａに突き当たり係止することにより、その回動が阻止されるから、自動車等により振動が加わっても、この環部材６の回動により弁体９とノズル本体３の螺合部８との螺合が緩んで環部材６が外れてしまうことを阻止できる。
【００１６】
即ち、環部材６の回動は無制限でなく、前記環部材６に設けた回り止め係止部６ａが前記ノズル本体３に設けた回り止め係止部３ａに突き当たり係止するまでの所定範囲に限られるから、この環部材６の回動により弁体９の螺子部９ｂが緩んで外れてしまうことを阻止できる。
【００１７】
しかも、例えば、散水路２が９０度間隔で設けられ、この散水路２同志の間に水が届きにくい部分があっても、ノズル本体３に、例えば、回り止め係止部３ａとして、環部材６の回り止め係止部６ａを挟むように正回動側と逆回動側とに対向状態に設けられる一対の立ち上がり部を設け、この一対の立ち上がり部を周方向に複数並設し、この一対の立ち上がり部の対向幅を環部材６に設けた回り止め係止部６ａの幅よりやや幅広に設定した場合には、環部材６をノズル本体３の嵌合凹部７に嵌入した状態で、環部材６に設けた回り止め係止部６ａを立ち上がり部の対向幅分だけ回動させて水の噴出方向を微調整することができ、しかも、環部材６の回り止め係止部６ａを以前と異なる立ち上がり部間に嵌入せしめることで、水の噴出方向を大きく変更することもできることになる。
【００１８】
よって、水の噴出方向が異なる数種類の環部材を用意する必要なく、一つの環部材６を回動することで所望の噴出方向に設定することができる。
【００１９】
また、例えば、前記立ち上がり部の対向幅を環部材６に設けた回り止め係止部６ａの幅と略同じ幅に設定した場合には、前記環部材６の回動を一層確実に阻止できる構成となる。
【００２０】
従って、本発明は、振動による環部材の回動を阻止して弁体とノズル本体との螺合が緩んでしまうことを阻止できるのは勿論、一つの環部材を回動させるだけで水の噴出方向を自在に設定できる極めて実用性に秀れた消雪ノズルとなる。
【実施例】
【００２１】
本発明の具体的な実施例について図面に基づいて説明する。
【００２２】
本実施例は、ノズル本体３の先端開口部１に、環部材６を嵌入し得る嵌合凹部７を設け、この環部材６は、前記ノズル本体３の通水路４内壁に設けられた嵌入支承部10により支承されて前記嵌合凹部７と嵌合し、この環部材６には前記通水路４と連通して水の噴出方向及び噴出角度を規定する散水路２が形成され、この環部材６には、弁体９が挿通される挿通孔５を形成し、この挿通孔５には前記弁体９の頭部の係止部９ａが係止する係止段部５ａを設け、この弁体９には前記ノズル本体３の通水路４に設けられた螺合部８と螺合する螺子部９ｂを設け、弁体９を挿通孔５に挿通し、螺子部９ｂを螺合部８と螺合することで前記ノズル本体３に環部材６が押さえ込み状態に止着されるように構成し、この環部材６と前記ノズル本体３とに回り止め係止部６ａ，３ａを夫々設け、前記環部材６に設けた回り止め係止部６ａが、前記ノズル本体３に設けた回り止め係止部３ａに突き当たり係止することで前記環部材６の回動を阻止し得るように構成し、ノズル本体３に、前記嵌合凹部７に嵌入される前記環部材６の回り止め係止部６ａを挟むようにこの環部材６の正回動側と逆回動側とに対向状態に設けられる一対の立ち上がり部を前記回り止め係止部３ａとし、この一対の立ち上がり部を周方向に複数設け、この一対の立ち上がり部の対向幅を、前記環部材６に一つ設けた回り止め係止部６ａの幅よりやや幅広に設定し、この環部材６に設けた回り止め係止部６ａを前記一対の立ち上がり部間に嵌入し得るように構成し、環部材６を、前記嵌合凹部７に嵌入された状態でこの環部材６に設けた回り止め係止部６ａが前記立ち上がり部に突き当たり係止するまでの所定範囲で自在に回動せしめるか若しくはこの環部材６に設けた回り止め係止部６ａを異なる前記一対の立ち上がり部間に嵌入せしめることで、水の噴出方向を変更できるように構成したものである。
【００２３】
具体的には、前記環部材６に設けた回り止め係止部６ａをこの環部材６にして前記ノズル本体３基端側に突出状態に設け、前記ノズル本体３に設けた回り止め係止部３ａをこのノズル本体３の通水路４内壁にして嵌入支承部10と螺合部８との間に設けられた設置面11に前記環部材６側に突出状態に設けたものである。
【００２４】
本実施例は図１に図示したように、前記ノズル本体３の上部を径大部13とし、この径大部13に前記嵌合凹部７を形成し、この嵌合凹部７の下方を前記径大部13より径小として前記嵌入支承部10に設定し、このノズル本体３の略中央部に前記螺合部８を形成したものである。
【００２５】
更に、本実施例は、この嵌入支承部10と螺合部８との略中間位置に水平方向に突出する径小部14を形成し、前記径大部13からこの径小部14の手前までを、なだらかに下り傾斜する傾斜面16に設定している。
【００２６】
本実施例においては、上記径小部14内面を前記設置面11に設定しており、この径小部14内面に回り止め係止部３ａを前記環部材６の回動方向に所定間隔で多数設けた王冠部材12を嵌着し（図２参照）、前記環部材６の挿通孔５に設けた係止段部５ａにして前記弁体９の頭部の係止部９ａとの当接面の裏面15（前記径小部14上面と対向する面）に、前記環部材６に設けた回り止め係止部６ａを一つ設けている（図３参照）。
【００２７】
更に具体的に説明すると、前記環部材６に設けた回り止め係止部６ａ及び前記ノズル本体３に設けた回り止め係止部３ａを夫々凸部とし、この凸部同志が突き当たり係止するまで前記環部材６を回動自在に設定している（ノズル本体３に設けた多数の凸部の、環部材６の回動方向における対向面部が請求項で言う立ち上がり部である。）。
【００２８】
本実施例においては、前記周り止め係止部３ａとしてのノズル本体３に設けた凸部同志の間隔（即ち、立ち上がり部の対向幅）を前記回り止め係止部６ａとしての環部材６の凸部の幅よりやや幅広に設定している（図４参照）。
【００２９】
従って、環部材６をノズル本体３の嵌合凹部７に設けた状態で所定範囲（凸部同志の間隔の範囲）で回動せしめて散水方向を微調整することができるのは勿論、環部材６をノズル本体３の嵌合凹部７から取り外して回動せしめてこの環部材６の凸部を異なるノズル本体３の凸部間に嵌入することで散水方向を変更することもできる。
【００３０】
尚、本実施例においては回り止め係止部３ａ同志の間隔を前記回り止め係止部６ａの幅よりやや幅広に設定しているが、この回り止め係止部３ａ同志の間隔を回り止め係止部６ａの幅と略同じ幅に設定しても良い。この場合にも、上述のように、ノズル本体３から環部材６を取り外して回動させて回り止め係止部６ａを以前と異なる回り止め係止部３ａ間に嵌入することで散水方向を変更することができ、更に、環部材６の回動を略確実に阻止できることになる。
【００３１】
また、本実施例においてはノズル本体３に多数の回り止め係止部３ａを設け、環部材６に一つの回り止め係止部６ａを設けた構成であるが、図６に図示したようにノズル本体３に一つの回り止め係止部３ａを設け、図５に図示したように環部材６に多数の回り止め係止部６ａを設けた構成としても良いし、ノズル本体３と環部材６とに夫々複数（多数）の回り止め係止部３ａ，６ａを設けた構成としても良い。
【００３２】
更に、本実施例においては、設置面11として径小部14の内面を採用しているが、他の構成、例えば、傾斜面16に回り止め係止部３ａを設けた構成としても良い。
【００３３】
また、本実施例においては、ノズル本体３及び環部材６に夫々回り止め係止部３ａ，６ａとして夫々凸部を採用した場合について説明したが、いずれか一方を凹部とした場合も同様である。尚、凹部を採用した場合には、凹部の底面部と連設する環部材６の回動方向側の（対向する）立ち上がり面部が請求項で言う立ち上がり部となる。
【００３４】
また、本実施例の弁体９の弁構造は、図１に図示したような前記弁体９の側面に設けられた開口部９ｃと連通する一端を幅狭とし他端に向かって徐々に幅広となる流量規制溝17ａを設けた弁杆17を弁体９内部に設けた構造であり、この弁杆17の頭部に設けられた凹溝17ｂにドライバー等を差し込んで回動することにより、前記流量規制溝17ａと前記開口部９ｃとの連通面積を可変し、通水路４から散水路２に流れる水の流量を制御しているが、異なる弁構造を採用しても良い。
【００３５】
また、本実施例においては、前記環部材６に孔を穿設することで散水路２を構成しているが、前記環部材６と嵌合凹部７との間に形成した溝や、環部材６と弁体９との間に形成した溝により前記散水路２を構成しても良い。
【００３６】
尚、通水路４にしてノズル本体３の基端側には立ち上がり送水管18が嵌入される。
【００３７】
本実施例は上述のように構成したから、路面にノズル本体３を埋設して、このノズル本体３の散水路２から噴出して路面の消雪を行う際、例えばこのノズル本体３の上面を自動車が走行したり、近傍を走行する自動車から伝わる振動によって環部材６が回動したとしても、前記環部材６に設けた回り止め係止部６ａがノズル本体３に設けた回り止め係止部３ａに突き当たり係止することにより、その回動が阻止されるから、自動車等により振動が加わっても、この環部材６の回動により弁体９とノズル本体３の螺合部８との螺合が緩んで環部材６が外れてしまうことを阻止できる。
【００３８】
即ち、環部材６の回動は無制限でなく、前記環部材６に設けた回り止め係止部６ａが前記ノズル本体３に設けた回り止め係止部３ａに突き当たり係止するまでの所定範囲に限られるから、この環部材６の回動により弁体９の螺子部９ｂが緩んで外れてしまうことを阻止できる。
【００３９】
しかも、例えば、散水路２が９０度間隔で設けられ、この散水路２同志の間に水が届きにくい部分があっても、ノズル本体３に、回り止め係止部３ａとして、環部材６の回り止め係止部６ａを挟むように正回動側と逆回動側とに対向状態に設けられる一対の立ち上がり部を設け、この一対の立ち上がり部を周方向に複数並設し、この一対の立ち上がり部の対向幅を環部材６に設けた回り止め係止部６ａの幅よりやや幅広に設定したから、環部材６をノズル本体３の嵌合凹部７に嵌入した状態（弁体９を外していない状態）で、環部材６に設けた回り止め係止部６ａを立ち上がり部の対向幅分だけ回動させて水の噴出方向を微調整することができ、しかも、環部材６の回り止め係止部６ａを以前と異なる立ち上がり部間に嵌入せしめることで、水の噴出方向を大きく変更することもできることになる。
【００４０】
よって、水の噴出方向が異なる数種類の環部材を用意する必要なく、一つの環部材６を回動することで所望の噴出方向に設定することができる。
【００４１】
従って、本実施例は、振動による環部材の回動を阻止して弁体とノズル本体との螺合が緩んでしまうことを阻止できるのは勿論、一つの環部材を回動させるだけで水の噴出方向を自在に設定できる極めて実用性に秀れた消雪ノズルとなる。
【図面の簡単な説明】
【００４２】
【図１】本実施例の（弁体を止着した状態の）説明側断面図である。
【図２】本実施例の（弁体を外した状態の）説明側断面図である。
【図３】本実施例の環部材の説明裏面図である。
【図４】本実施例のノズル本体の説明平面図である。
【図５】別例の環部材の説明裏面図である。
【図６】別例のノズル本体の説明平面図である。
【符号の説明】
【００４３】
１  先端開口部
２  散水路
３  ノズル本体
３ａ  回り止め係止部
４  通水路
５  挿通孔
６  環部材
６ａ  回り止め係止部
７  嵌合凹部
８  螺合部
９  弁体
９ａ  係止部
９ｂ  螺子部
10  嵌入支承部
【図１】
2005199273.tif 000003
【図２】
2005199273.tif 000004
【図３】
2005199273.tif 000005
【図４】
2005199273.tif 000006
【図５】
2005199273.tif 000007
【図６】
2005199273.tif 000008